(57)【要約】【課題】止水部材内蔵型のものであって止水部材の耐久性を高くすることができる道路橋用伸縮装置を提供する。【解決手段】止水部材１８は、樋部３１と、この樋部３１の両端部にそれぞれ一体に形成された一対の固定部３２とから構成される。樋部３１は、橋軸方向に可撓性を有し、固定部３２は、樋部３１よりも硬くされている。止水部材１８は、押出成形により、使用状態に近い形状に成形される。止水部材１８は、継手１２に固定部３２をリベット止めすることで固定される。【選択図】図３
2019120091.tif 000002
【特許請求の範囲】
【請求項１】
道路橋桁の端部の遊間に設けられ、道路橋の橋軸直角方向に延在する道路橋用伸縮装置において、
前記道路橋の橋軸方向に互いに対向する一対の継手と、
下方に膨出するように湾曲した形状に成形され橋軸方向に弾性変形可能な樋部及び前記樋部よりも硬く、前記継手の取付面に接触面を接する形状で前記樋部の橋軸方向の両端に一体に形成された一対の固定部を有し、前記接触面を前記取付面に接した状態にして前記一対の固定部が前記一対の継手に取り付けられ、前記一対の継手の間に設けられる止水部材と
を備えることを特徴とする道路橋用伸縮装置。
【請求項２】
前記止水部材は、前記一対の継手と前記止水部材とが囲む空間の外側に前記一対の固定部が配置される形状であることを特徴とする請求項１に記載の道路橋用伸縮装置。
【請求項３】
前記取付面は、前記一対の継手の下部の対向する内面であることを特徴とする請求項１または２に記載の道路橋用伸縮装置。
【請求項４】
前記樋部は、両端部が上方に膨出した湾曲形状にされ橋軸方向に弾性変形可能であり、
前記一対の固定部は、前記樋部の前記両端部から下方に延びた形状に形成されている
ことを特徴とする請求項３に記載の道路橋用伸縮装置。
【請求項５】
前記一対の継手は、下部の対向する内面から突出した橋軸直角方向に延在し、前記取付面となるブラケットをそれぞれ有することを特徴とする請求項１または２に記載の道路橋用伸縮装置。
【請求項６】
前記一対の固定部は、前記樋部の端部から前記樋部の外側に向って水平方向に延びた形状であることを特徴とする請求項５に記載の道路橋用伸縮装置。
【請求項７】
前記一対の固定部は、前記一対の継手に対してそれぞれリベット止めされていることを特徴とする請求項１ないし６のいずれか１項に記載の道路橋用伸縮装置。
【請求項８】
前記一対の固定部は、橋軸直角方向に沿って形成されたリブを有することを特徴とする請求項１ないし７のいずれか１項に記載の道路橋用伸縮装置。
【発明の詳細な説明】
【技術分野】
【０００１】
本発明は、道路橋用伸縮装置に関するものである。
【背景技術】
【０００２】
橋桁の端部の遊間に設置され、気温の変化による橋桁の伸縮や車両の通行にともなう橋桁の変形等を吸収する道路橋用伸縮装置（以下、単に「伸縮装置」という）が知られている。伸縮装置が設置される橋桁の端部の遊間としては、橋軸方向に配置された橋桁同士の遊間、橋桁と橋台との間の遊間がある。例えば、鋼製の伸縮装置では、遊間の表面に、互いに噛合する櫛歯状の表面板をそれぞれ有する一対の継手を備えている。また、遊間からの雨水の侵入を防止するために、表面板の下側の一対の継手の間に弾性シール材が設けられている。さらに、近年では、遊間内に、弾性シール材から漏れ出た雨水を受ける止水部材（二次止水部材）が弾性シール材の下方に配置されることが多い。
【０００３】
止水部材は、遊間の寸法の変化に追従しつつ雨水を受けるために、例えば長尺のゴムシートが用いられ、その幅方向の各端部を一対の橋桁の端部または橋桁の端部と橋台とにそれぞれ固定し、中央部を弛ませて樋状にしている。このような止水部材には、伸縮装置とは独立して設けられ、止水部材がアンカーボルト等で橋桁に直接に固定されるものが知られている（例えば特許文献１を参照）。一方、継手に止水部材が固定された止水部材内蔵型の伸縮装置も知られている。止水部材内蔵型の伸縮装置では、一対の継手の下部の内面に止水部材の端部が固定される。
【先行技術文献】
【特許文献】
【０００４】
【特許文献１】特開２００８−１３３５９１号公報
【発明の概要】
【発明が解決しようとする課題】
【０００５】
ところで、上記のような止水部材内蔵型の伸縮装置は、互いに独立した止水部材と伸縮装置とを組み合わせたもの（以下、セパレート構造という）よりも施工性が高いが、下記のような理由から、止水部材の耐久性を高め難いという問題があった。すなわち、止水部材内蔵型の伸縮装置では、弾性シール材を取り付けた一対の継手に対して止水部材の組み付けを行うため、継手の下側より止水部材の組み付け作業を行う必要があり、また止水部材の中央部を弛ませて下方に膨出するように湾曲させる必要がある。このため、止水部材の端部を継手の内面に下方に向ける状態に固定し、止水部材の中央部を自重で下方に膨出するように湾曲させている。しかしながら、止水部材となるゴムシートの厚みを大きくすると、その中央部が上述のように弛まず湾曲しない。このため、耐久性を高めるために止水部材としてのゴムシートの厚みを大きくすることが困難であった。
【０００６】
本発明は、上記事情に鑑みてなされたものであり、止水部材内蔵型のものであって止水部材の耐久性を高くすることができる道路橋用伸縮装置を提供することを目的とする。
【課題を解決するための手段】
【０００７】
本発明は、道路橋桁の端部の遊間に設けられ、道路橋の橋軸直角方向に延在する道路橋用伸縮装置において、前記道路橋の橋軸方向に互いに対向する一対の継手と、下方に膨出するように湾曲した形状に成形され橋軸方向に弾性変形可能な樋部及び前記樋部よりも硬く、前記継手の取付面に接触面を接する形状で前記樋部の橋軸方向の両端に一体に形成された一対の固定部を有し、前記接触面を前記取付面に接した状態にして前記一対の固定部が前記一対の継手に取り付けられ、前記一対の継手の間に設けられる止水部材とを備えるものである。
【発明の効果】
【０００８】
本発明の道路橋用伸縮装置によれば、止水部材に橋軸方向に弾性変形可能にされた樋部とこの樋部の両端に樋部よりも硬い固定部を継手の取付面に接する形状で一体に設け、止水部材を使用状態と略同じ形状に成形されているので、止水部材の厚みが増大しても樋部としての湾曲形状が維持されるから、止水部材の厚みを増大させて止水部材の耐久性を高くすることができる。
【図面の簡単な説明】
【０００９】
【図１】本実施形態に係る道路橋用伸縮装置の外観を示す斜視図である。
【図２】道路橋用伸縮装置を遊間に設置した状態を示す断面図である。
【図３】止水部材の取り付け状態を示す要部断面図である。
【図４】樋部の各端部に逆Ｌ字状の固定部を一体に形成した止水部材の取り付け状態を示す要部断面図である。
【図５】樋部の各端部に水平方向に延びた固定部を一体に形成した止水部材をブラケットの下面に取り付けた状態を示す要部断面図である。
【図６】樋部の各端部に水平方向に延びた固定部を一体に形成した止水部材をブラケットの上面に取り付けた状態を示す要部断面図である。
【図７】樋部の各端部に逆Ｌ字状の固定部を一体に形成した止水部材をブラケットの下面に取り付けた状態を示す要部断面図である。
【図８】樋部の各端部に逆Ｌ字状の固定部を一体に形成した止水部材をブラケットの上面に取り付けた状態を示す要部断面図である。
【図９】止水部材を腹板の外面に取り付けた状態を示す要部断面図である。
【図１０】樋部と固定部との接合面を厚み方向に対して傾いた斜面とした例の要部を拡大して示す断面図である。
【図１１】樋部と固定部との接合面をそれぞれの厚み方向に対して傾いた斜面とした例の要部を拡大して示す断面図である。
【図１２】固定部のリブと樋部の端部とを一体に形成した例の要部を拡大して示す断面図である。
【発明を実施するための形態】
【００１０】
図１において、道路橋に設置される道路橋用伸縮装置（以下、単に「伸縮装置」）という）１０は、止水部材内蔵型のものであり、一対の継手１２、アンカー部材１４、弾性シール材１６、止水部材（二次止水部材）１８を備える。一対の継手１２及びアンカー部材１４は、鋼製であって、一体に形成されている。各継手１２は、橋軸方向（矢印Ｘ方向）と直交する橋軸直角方向（矢印Ｙ方向、道路橋の幅方向）に延在する。弾性シール材１６、止水部材１８についても、同様に橋軸直角方向に延在する。アンカー部材１４は、継手１２にそれぞれ複数設けられており、継手１２の橋軸直角方向に所定の間隔で固定されている。
【００１１】
継手１２は、逆Ｌ字形状の部材であり、道路橋の表面側に配置される表面板２１と、この表面板２１と一体に形成され、表面板２１の一端から下方に向けて屈曲された腹板２２とを有する。表面板２１と腹板２２とは、いずれも橋軸直角方向に長い略矩形状の板状である。一対の継手１２は、互いに対向する表面板２１の端部に凹凸が繰り返し形成され、それらの凹凸が互いに隙間２３を形成した状態で噛合する。隙間２３の橋軸方向の寸法は、橋桁２４（図２参照）の伸縮等により増減する。
【００１２】
図２に示すように、伸縮装置１０は、橋軸方向に並べられた道路橋の橋桁２４の遊間に設置される。なお、伸縮装置１０は、橋桁と橋台との間の遊間に設置されるものでもよい。伸縮装置１０は、表面板２１の表面が道路橋の橋面（舗装面）と同一面をなし、床版２４ａの上に配したアンカー部材１４が後打ちコンクリート２４ｂで埋設して固定される。
【００１３】
弾性シール材１６は、一対の継手１２の間に雨水の侵入を抑制する。この弾性シール材１６は、例えば腹板２２の内面２２ａに貼着されている。弾性シール材１６は、弾性材料で構成され、隙間２３の拡大及び縮小に追従して弾性変形する。止水部材１８は、一対の継手１２の間に設けられ、弾性シール材１６よりも下側に配される。この止水部材１８は弾性シール材１６から漏れた水の下方への落下を遮断し、その水を排水パイプ（図示省略）に導く。
【００１４】
図３おいて、止水部材１８は、樋部３１と、この樋部３１の両端にそれぞれ一体に形成された一対の固定部３２とから構成される。この例の止水部材１８では、樋部３１は、その中央部３１ａが下方に膨出するように円弧状に湾曲し、樋部３１の端部３１ｂが中央部３１ａの外側でそれぞれ上方に膨出するように湾曲した形状になっている。この樋部３１では、その中央部３１ａが弾性シール材１６から漏れた水を排水パイプに導く樋として機能する。固定部３２は、端部３１ｂから下方に向って直線的に延びている。止水部材１８は、各固定部３２をそれぞれ継手１２の下部となる腹板２２の内面２２ａに接した状態で固定される。この例では、固定部３２には、剛性を高くするために、橋軸直角方向に延在するリブ３３が一体に形成されている。
【００１５】
上記のような形状の止水部材１８は、一対の継手１２と止水部材１８とが囲む空間の外側に各固定部３２の接触面が形成された部分がそれぞれ配置される形状である。もちろん、これらの接触面に対応する一対の継手１２の取付面となる内面２２ａの部分も、当該空間の外側である。これにより、当該空間内に継手１２の端部側から工具等を差し入れたりすることなく、止水部材１８を継手１２に固定することができる。
【００１６】
中央部３１ａ及び各端部３１ｂをそれぞれ湾曲させた形状の樋部３１は、可撓性に富んでおり、後述するように内面２２ａの間隔の変化に応答して弾性変形する際に破損し難く、また樋として機能する中央部３１ａの上下方向における位置の変化が小さいという利点がある。また、止水部材１８は、中央部３１ａと固定部３２との間を湾曲形状で接続しているため、内面２２ａの間隔の変化に応答して止水部材１８が弾性変形する際の応力集中による破損が防止される。さらに、上記のように端部３１ｂを湾曲した形状にすることより、樋部３１と固定部３２との接合部分にそれらを分離させる方向に作用する力を低減させ、止水部材１８の破損を防止している。この例では、止水部材１８における樋部３１と各固定部３２の接合面は、その厚み方向に対して平行な面になっている。なお、樋部３１と固定部３２との接合を分離させる力は、樋部３１の重み、樋部３１上の雨水の重み、一対の継手１２の間隔の変化による樋部３１の変形に起因して生じる。
【００１７】
取り付け状態では、止水部材１８は、腹板２２の内面２２ａの間隔の変化に応じて樋部３１が弾性変形する。すなわち、樋部３１は、軟質材で形成されており、内面２２ａの間隔が変化したときに、それに追従して中央部３１ａ及び端部３１ｂの曲率半径を変化させるように弾性変形して、一対の固定部３２の橋軸方向の間隔を変化することができるほどの可撓性を有している。一方、固定部３２は、上記の樋部３１よりも硬く、それ自体が樋部３１や樋部３１上の雨水の重み等で変形せず、樋部３１を支持することができる硬さを有している。
【００１８】
上記樋部３１は、例えばゴムの硬度がＡ７０未満のＣＲ(chloroprene-rubber)やＥＰＴ(ethylene-propylene terpolymer）等の軟質ゴム、軟質塩化ビニールやＴＰＯ（オレフィン系エラストマー）、ポリウレタン等の軟質樹脂等の軟質材料で形成されている。また、固定部３２は、ゴムの硬度がＡ７０以上のＣＲ（chloroprene-rubber）やＥＰＴ（ethylene-propylene terpolymer）等の硬質ゴム、硬質塩化ビニールやＰＰ (Polyepropylene)、ＡＢＳ（Acrylonitrile Butadiene Styrene)樹脂等の硬質樹脂等の硬質材料で形成される。上記ゴムの硬度は、いずれも日本工業規格ＪＩＳ  Ｋ  ６２５３に準拠し、タイプＡデュロメータで測定された硬さである。樋部３１と固定部３２とは、融着強度の観点から同質の軟硬質の組み合わせが好ましく、具体的には、例えば軟質ゴムと硬質ゴム、軟質ＰＶＣと硬質ＰＶＣの組み合わせが好ましい。その他としては樹脂同士の相性の良い材料としてＴＰＯとＰＰ、ポリウレタンとＡＢＳ樹脂等があげられる。
【００１９】
上記止水部材１８は、押出成形により、樋部３１と固定部３２とが一体に形成される。止水部材１８は、継手１２への使用状態（取り付け状態）に近い形状に作製され、押出成形の際に継手１２への使用状態に近い形状が付与される。すなわち、止水部材１８は、上記のように所定の湾曲形状の樋部３１と、この樋部３１の両端に所定の形状で設けた各固定部３２とが一体に成形される。このように作製される止水部材１８は、樋部３１を大きく弾性変形させることなく、固定部３２の接触面が継手１２の取付面に接する形状である。例えば、使用状態における一対の継手１２の相互の間隔の変化範囲内、すなわち一対の継手１２の最大の間隔と最小の間隔との間の任意の間隔、例えばそれらの中間の間隔を使用状態として、その使用状態において止水部材１８の形状が決められ、その形状とほぼ同じになるように止水部材１８が成形される。
【００２０】
上記のように、止水部材１８は、使用状態に近い形状に成形されているため、止水部材１８の厚みを大きくしても中央部３１ａの湾曲形状が維持されるので、樋としての機能を確保しながら、止水部材１８の厚みを大きくして耐久性を向上させることができる。なお、止水部材１８は、厚みを３ｍｍ以上とすることが好ましく、この例では厚みを３ｍｍとしている。
【００２１】
また、止水部材１８が使用状態に近い形状に成形されているため、それを継手１２に取り付ける際に、止水部材１８を大きく曲げる必要がなく、また使用状態においても止水部材１８が大きく曲がることがない。このため、止水部材１８に大きな曲げ応力が発生しないので、止水部材１８の破損等が生じ難い。したがって、より耐久性を高めることができる。
【００２２】
この例では、作業性を高めるために、固定部材としてリベット３４を用いて止水部材１８を継手１２に固定している。リベット３４としては、継手１２の下側からの作業だけで止水部材１８を固定できる、例えば樹脂製のプッシュリベットやアルミ製のドライブリベットを用いることができる。リベット３４は、固定部３２に設けた挿通孔３５と腹板２２の内面２２ａに設けた有底の穴２２ｂに差し込んだ状態で、ロックピンの押し込みにより拡開した先端部が穴２２ｂの内周面に係合することで、固定部３２を腹板２２に固定する。
【００２３】
固定部材としてボルト等を用い、穴２２ｂに螺合することもできるが、上記のようにリベット止めすれば、簡単な作業で止水部材１８を継手１２に固定することができる他、車両の走行に伴う振動によるボルトの緩みや脱落、ひいては止水部材１８の脱落を防止することができる。なお、リベット３４を引き抜いて止水部材１８を交換することも可能である。
【００２４】
ところで、例えば全体が薄いゴムシートからなる止水部材を用いた従来の構成では、その止水部材の端部を橋軸直角方向にわたって腹板２２の内面２２ａに押し付けた状態で保持するための剛性の高い押え板が必要になる。しかしながら、この例における止水部材１８は、上記のように樋部３１と一体に形成された硬質の固定部３２をリベット３４で固定しているため、橋軸直角方向に延在する固定部３２が内面２２ａから部分的に浮き上がることがないので、上記のような押え板は不要である。
【００２５】
また、止水部材１８は、上述のように使用状態に近い形状になっているため、例えば樋部３１の中央部３１ａが上方に膨出するように変形することがない。したがって、これまでの伸縮装置のように、弾性シール材１６に止水部材１８が貼着することを防止する離型用部材を弾性シール材１６と止水部材１８との間に設ける必要がない。
【００２６】
上記のように構成される伸縮装置１０は、一対の継手１２に止水部材１８が取り付けられた状態で、図２に示されるように、道路橋の橋桁２４の遊間に設置されて、床版２４ａの端部に固定される。降雨時等において、弾性シール材１６から漏れ出て継手１２の間に侵入した雨水等は、止水部材１８によって遮断され、下方への落下が防止される。そして、遮断された雨水等は、止水部材１８の湾曲した中央部３１ａ上に集められて排水パイプに送られる（図３）。
【００２７】
例えば、気温の上昇等により、橋桁２４が橋軸方向に伸長した場合には、一対の継手１２が互いに近づく方向に移動し、各腹板２２の内面２２ａの間隔が狭くなる。この場合には、内面２２ａから固定部３２を介して樋部３１に圧縮する力が作用するから、樋部３１は、中央部３１ａ及び各端部３１ｂの曲率半径を小さくするように弾性変形する。逆に気温の低下等により、橋桁２４が橋軸方向に収縮した場合には、一対の継手１２が互いに離れる方向に移動し、各腹板２２の内面２２ａの間隔が広くなる。この場合には、内面２２ａから固定部３２を介して樋部３１にそれを伸長する力が作用するから、樋部３１は、中央部３１ａ及び各端部３１ｂの曲率半径を大きくするように弾性変形する。
【００２８】
上記のように一対の継手１２の橋軸方向における相反する方向の移動にともない、止水部材１８は、それに追従するように樋部３１が弾性変形して、一対の固定部３２の間隔が増減する。この弾性変形する際の止水部材１８、特には樋部３１の変形量は、成形時の予め湾曲した形状からの変形量となるので、あまり大きくならない。このため、止水部材１８に大きな曲げ応力が生じることがなく、止水部材１８の耐久性が向上する。また、上記のように止水部材１８の端部３１ｂを内面２２ａに押し付ける押え板がないため、止水部材１８が押え板で擦れて破損するようなこともない。
【００２９】
上記の止水部材の形状、取り付け手法は一例であり、それに限定されない。なお、図４ないし図９に示す例において、以下に説明する他は、上記の例と同様であり、実質的に同じ構成部材には同じ符号を付して、その詳細な説明を省略する。
【００３０】
図４に示す例の止水部材１８Ａは、樋部３１Ａの全体が下方に膨出するように円弧状に湾曲した形状であり、一対の固定部３２Ａがそれぞれ樋部３１Ａの端部から樋部３１Ａの外側に向って水平に延びた水平部分と水平部分から垂下した垂直部分を有する逆Ｌ字状であり、そのような形状に成形されている。この止水部材１８Ａは、接触面として固定部３２Ａの垂直部分の外側の面を腹板２２の内面２２ａに接した状態にしてリベット３４で継手１２に固定されている。
【００３１】
図５に示す例の止水部材１８Ｂは、樋部３１Ｂが下方に膨出するようにＵ字状に湾曲した形状であり、一対の固定部３２Ｂは、それぞれ樋部３１Ｂの端部から樋部３１Ｂの外側に向って水平に延びた形状であり、そのような形状に成形されている。この例では、一対の腹板２２には、内面２２ａから水平方向に突出し、橋軸直角方向に延在するブラケット３７がそれぞれ設けられており、止水部材１８Ｂは、接触面として固定部３２Ｂの上面が取付面としてのブラケット３７の下面に接した状態に固定される。この固定では、固定部３２Ｂの挿通孔３５とブラケット３７の挿通孔３７ａにそれぞれ通したリベット３８の先端をブラケット３７の上面側で拡開させて固定している。なお、ブラケット３７には、複数の挿通孔３７ａが橋軸直角方向に所定の間隔で形成されている。
【００３２】
なお、図５に示す例におけるリベット３８としては、プッシュリベット、ドライブリベットの他に、ブラインドリベットを用いることもできる。また、最初の例と同様にリベット３８の先端をブラケット３７に形成した穴内で拡開させて固定してもよい。さらに、図６に示す止水部材１８Ｃのように、固定部３２Ｃの下面を取付面としてのブラケット３７の上面に接した状態にして継手１２に固定してもよい。止水部材１８Ｃの樋部３１Ｃ、固定部３２Ｃの形状は、図５の例のものと同様であるが、リブ３３が固定部３２Ｃの上面に形成されている。
【００３３】
図７に示す止水部材１８Ｄは、その全体的な形状が図５の止水部材１８Ｂと同じ形状であるが、固定部３２Ｄが逆Ｌ字状になっている。すなわち、一対の固定部３２Ｄは、水平に延びた水平部分と、水平部分から垂下した垂直部分を有する形状であり、各垂直部分の下端の間に、下方に膨出するように湾曲した形状の樋部３１Ｄが形成されている。この止水部材１８Ｄは、図５の例と同様に、腹板２２に一体に形成されたブラケット３７の下面に、接触面としての固定部３２Ｃの水平部分の上面が接した状態に固定される。なお、図８に示す止水部材１８Ｅのように、固定部３２Ｅの水平部分の下面をブラケット３７の上面に接した状態にして継手１２に固定してもよい。止水部材１８Ｅの樋部３１Ｅ、固定部３２Ｅの形状は、図７の例のものと同様であるが、リブ３３が固定部３２Ｅの上面に形成されている。
【００３４】
図９に示す止水部材１８Ｆは、その固定部３２Ｆが腹板２２の外面２２ｃから下面に沿ったＬ字状であり、取付面としての腹板２２の外面２２ｃに接触面としての固定部３２Ｆの内面が接した状態に固定されて、一対の継手１２の間に設けられる。外面２２ｃには、リベット３４が挿入される穴２２ｄが形成されている。樋部３１Ｆは、各固定部３２Ｆの水平部分の端部間に、下方に膨出した形状に形成されている。この例では、樋部３１Ｆは、一対の継手１２の間の間隙の下方に配置される。
【００３５】
なお、上記図４、図５、図７、図９の各例における止水部材は、一対の継手と止水部材とによって囲む空間の外側に各固定部の接触面が形成された部分がそれぞれ配置される形状である。
【００３６】
止水部材における樋部と各固定部の接合面は、それらの厚み方向に対して平行な面等とすることができるが、樋部と各固定部との分離を防止して耐久性を向上するために、厚み方向に対して傾いた斜面等として融着面積を大きくするのがよい。例えば、図１０の例では、最初の例における止水部材１８について、樋部３１と固定部３２との接合面４１をそれらの厚み方向に対して傾いた斜面としている。また、図１１の例では、止水部材１８Ｂについて、樋部３１Ｂと固定部３２Ｂとの接合面４２をそれぞれの厚み方向に対して傾いた斜面としている。なお、接合面をＵ字状、Ｖ字状や階段状等にして融着面積を大きくしてもよい。
【００３７】
また、図１２に示す止水部材１８Ｇのように、固定部３２Ｇの剛性を高めるリブ４３と樋部３１Ｇの端部とを結合した構造とすることもできる。この例では、止水部材１８Ｇは、図５の例と同様に、ブラケット３７の下面に固定部３２Ｇが接した状態で固定される。止水部材１８Ｇの固定部３２Ｇには、リブ４３が設けられ、このリブ４３は橋軸直角方向に延在している。リブ４３は、固定部３２Ｇの樋部３１Ｇ側の端部に下方に向って膨出する断面Ｕ字状に形成されている。樋部３１は、リブ４３と一体に形成されて、その端部がリブ４３から下方に向って延びるように設けられている。リブ４３の厚み（図中左右方向の最大長さ）は、樋部３１の厚みと同じであり、樋部３１の端部の内部にリブ４３を入れ込んだ状態になっている。このような構成とすることで、リベット３８とリブ４３との干渉を防止することができる。また、固定部３２Ｇと樋部３１Ｇとの接合面４５が断面Ｕ字状のリブ４３の表面となるので、融着面積が大きくなり、樋部３１Ｇと固定部３２Ｇとの分離を防止して耐久性を向上する効果もある。
【符号の説明】
【００３８】
１０  伸縮装置
１２  継手
１８、１８Ａ〜１８Ｆ  止水部材
３１、３１Ａ〜３１Ｆ  樋部
３２、３２Ａ〜３２Ｆ  固定部
３３  リブ
３４、３８  リベット
【図１】
2019120091.tif 000003
【図２】
2019120091.tif 000004
【図３】
2019120091.tif 000005
【図４】
2019120091.tif 000006
【図５】
2019120091.tif 000007
【図６】
2019120091.tif 000008
【図７】
2019120091.tif 000009
【図８】
2019120091.tif 000010
【図９】
2019120091.tif 000011
【図１０】
2019120091.tif 000012
【図１１】
2019120091.tif 000013
【図１２】
2019120091.tif 000014